(57)【要約】【課題】外部への冷気流出を抑制しつつ、収納室内の冷却効率を向上させる。【解決手段】収納室１０８の前面開口部１０９に、前後方向に移動可能な扉１０３およびそれに付帯した収納ケース１１５を備え、冷気吹出し口１１６から吹き出された冷気が収納ケース１１５内を通って通風孔１１８を通過し収納ケース１１５と収納室１０８との隙間を通って冷気吸込み口１１７から吸い込まれるように構成された冷蔵庫１０１であって、通風孔１１８を通過した冷気が扉１０３と前面開口部１０９との当接部分の方向に流れず奥側に流れるように、突起１１９を収納ケース１１５の左右または下に設けたものであり、収納ケース１１５の内外を全体的に冷却できる。さらに、冷気を扉１０３と前面開口部１０９との当接部分から遠ざかる方向に流しているので、冷気漏れを抑制できる。【選択図】図２
2011169503.tif 000002
【特許請求の範囲】
【請求項１】
冷蔵庫本体に区画形成され前面に開口部を有し奥側に冷気吹出し口及び冷気吸込み口を有する収納室と、前後方向に移動可能に前記冷蔵庫本体に設けられ前記収納室の前面開口部を前方から前記前面開口部の開口面よりも大きい面で閉塞可能な扉と、上面が開口し前面に通風孔を有するケースであって前記扉と一緒に前後方向に移動するように前記扉に設けられ前記前面開口部を閉塞している状態の前記扉を前方に引き出した時に前記収納室から引き出される収納ケースとを備え、前記扉が前記前面開口部を閉塞している時に前記冷気吹出し口から吹き出された冷気が前記収納ケース内を通って前記通風孔を通過し前記収納ケースと前記収納室との隙間を通って前記冷気吸込み口から吸い込まれるように構成された冷蔵庫であって、前記通風孔を通過した冷気が前記扉と前記前面開口部との当接部分の方向に流れず奥側に流れるように前記扉における前記収納ケース側の面から前記収納ケースとの距離よりも奥側に突出した突起を前記収納ケースの左右または下に設けたことを特徴とする冷蔵庫。
【請求項２】
収納室および扉を、内面材と外面材で形成される空間に断熱材が充填された断熱構造としたことを特徴とする請求項１に記載の冷蔵庫。
【請求項３】
断熱材に発泡樹脂を用いたことを特徴とする請求項２に記載の冷蔵庫。
【請求項４】
発泡樹脂は、発泡剤に炭化水素系の主発泡剤と、略大気圧での沸点が零度以下の副発泡剤を用い、前記主発泡剤および前記副発泡剤が気化することにより発泡成形された発泡ポリウレタンであることを特徴とする請求項３に記載の冷蔵庫。
【請求項５】
主発泡剤がシクロペンタン、副発泡剤が二酸化炭素であることを特徴とする請求項４に記載の冷蔵庫。
【発明の詳細な説明】
【技術分野】
【０００１】
本発明は、冷蔵庫内の冷却効率を向上しつつ、庫外への冷気漏れを抑制して省エネルギー性を向上した冷蔵庫に関するものである。
【背景技術】
【０００２】
近年、地球環境保護の観点から、熱エネルギーを効率的に利用する技術開発に対する社会的要望が高まっている。このような背景から、産業界では社会的責任から積極的に省エネルギー対策が組織的で実施されている。一方、各家庭では各種啓蒙活動などで、省エネルギーへの理解や関心が広まりつつあり、自動車や家庭電化製品において省エネルギー性能が、価格や機能などとともに商品の選択肢として重要になっている。
【０００３】
冷凍冷蔵庫は、家庭電化製品の中で空気調和機とともに代表的な熱エネルギー消費製品である。そこで各メーカーは、要素技術開発や省エネルギー設計に注力している。前者の代表例として、圧縮機のインバーター制御技術や高性能断熱材である真空断熱材の採用などがある。後者については、温度体の異なる冷蔵室、冷凍室、野菜室等の配置などを最適な配置にすることで、高熱効率化が図られている。
【０００４】
一方で、冷凍冷蔵庫は食品等の出し入れのための開閉扉があり、この扉と筐体との接触面からの冷気漏れ対策も重要である。一般的には、パッキン等のシール部材を備えて冷気漏れを抑制しているが、間接冷却式の冷凍冷蔵庫では庫内を冷気が強制流動しているためにシール部材近傍にも冷気が供給されやすいという課題があった。
【０００５】
例えば、その解決手段として、扉内面側構造を改良しているものがある（例えば、特許文献１参照）。
【０００６】
図４は、特許文献１に記載された従来の扉の断面図である。図４に示すように、冷凍室に吹き出される冷気は、冷凍室容器１内に矢印に示す如く吹き出され、冷凍室容器１内の食品を冷却する。冷却後の冷気は、冷凍室容器１の前壁２に設けられた開口３より吹き出し、前壁２と扉４とで形成された隙間５を通り、冷凍室容器１の底面を通って室外に排気される。開口３は、前壁２の上方に設けられており、隙間５内で冷気は上方から下方へ流れるようになっている。
【０００７】
扉４にはパッキング６が設けられており、冷凍室の前縁開口部と当接して外気から遮断する。さらには、隙間５を通った冷気が扉４下面に位置するパッキング６側に行くことを防止するために、パッキング６よりも上方に鰭上パッキング７を備えている。
【０００８】
扉４内面には凸部８が設けられ、この凸部８がガイド体として作用して開口３から隙間５に吐出された冷気を整流して下方に落とす役目をしている。これにより、左右側への冷気の流出を効率的に抑えることができ、冷凍室の冷却効率を向上できる。
【先行技術文献】
【特許文献】
【０００９】
【特許文献１】特開２００６−７８０２５号公報
【発明の概要】
【発明が解決しようとする課題】
【００１０】
しかしながら、上記の構成のような位置に凸部８を設けた場合、隙間５内の下降流を整流し、左右方向への冷気流出を抑制できるが、その効果と相殺されるかたちで、冷凍室容器１側面と冷凍室が形成する隙間への冷気流入量も減少し、冷凍室容器１側面の冷却効率は低下するという課題があった。また、凸部８は扉内面材と一体であるため、扉内部に発泡ポリウレタンなどの断熱材を充填する場合、高さに限界があったり、凸部８には別部材の断熱材を充填しなければならず、製造上の課題があった。
【００１１】
本発明は、上記従来の課題を解決するものであり、外部への冷気流出を抑制しつつ、収納室内の冷却効率を向上させることを目的とする。
【課題を解決するための手段】
【００１２】
上記目的を達成するために本発明の冷蔵庫は、冷蔵庫本体に区画形成され前面に開口部を有し奥側に冷気吹出し口及び冷気吸込み口を有する収納室と、前後方向に移動可能に前記冷蔵庫本体に設けられ前記収納室の前面開口部を前方から前記前面開口部の開口面よりも大きい面で閉塞可能な扉と、上面が開口し前面に通風孔を有するケースであって前記扉と一緒に前後方向に移動するように前記扉に設けられ前記前面開口部を閉塞している状態の前記扉を前方に引き出した時に前記収納室から引き出される収納ケースとを備え、前記扉が前記前面開口部を閉塞している時に前記冷気吹出し口から吹き出された冷気が前記収納ケース内を通って前記通風孔を通過し前記収納ケースと前記収納室との隙間を通って前記冷気吸込み口から吸い込まれるように構成された冷蔵庫であって、前記通風孔を通過した冷気が前記扉と前記前面開口部との当接部分の方向に流れず奥側に流れるように前記扉における前記収納ケース側の面から前記収納ケースとの距離よりも奥側に突出した突起を前記収納ケースの左右または下に設けたのである。
【００１３】
これにより、冷気吹出し口から吹出された冷気が収納ケースの内外を全体的に冷却できる。さらに、冷気を扉と前面開口部との当接部分から遠ざかる方向に流しているので、収納室外への冷気漏れを抑制できる。そのため、収納室内の冷却効率が向上する。
【発明の効果】
【００１４】
本発明は、冷蔵庫の扉内面の左右または下に突起を設けることにより、収納室内を効率的に冷却し、さらに収納室外への冷気漏れを低減した冷蔵庫を提供することができる。
【図面の簡単な説明】
【００１５】
【図１】本発明の実施の形態１における冷蔵庫の縦断面図
【図２】同実施の形態の冷蔵庫における収納室（冷凍室）の縦断面図
【図３】図２のＡ−Ａ断面図
【図４】従来の冷蔵庫の扉の縦断面図
【発明を実施するための形態】
【００１６】
第１の発明は、冷蔵庫本体に区画形成され前面に開口部を有し奥側に冷気吹出し口及び冷気吸込み口を有する収納室と、前後方向に移動可能に前記冷蔵庫本体に設けられ前記収納室の前面開口部を前方から前記前面開口部の開口面よりも大きい面で閉塞可能な扉と、上面が開口し前面に通風孔を有するケースであって前記扉と一緒に前後方向に移動するように前記扉に設けられ前記前面開口部を閉塞している状態の前記扉を前方に引き出した時に前記収納室から引き出される収納ケースとを備え、前記扉が前記前面開口部を閉塞している時に前記冷気吹出し口から吹き出された冷気が前記収納ケース内を通って前記通風孔を通過し前記収納ケースと前記収納室との隙間を通って前記冷気吸込み口から吸い込まれるように構成された冷蔵庫であって、前記通風孔を通過した冷気が前記扉と前記前面開口部との当接部分の方向に流れず奥側に流れるように前記扉における前記収納ケース側の面から前記収納ケースとの距離よりも奥側に突出した突起を前記収納ケースの左右または下に設けたことを特徴とする冷蔵庫である。
【００１７】
これにより、冷気吹出し口から吹出された冷気が収納ケースの内外を全体的に冷却できる。さらに、冷気を扉と前面開口部との当接部分から遠ざかる方向に流しているので、収納室外への冷気漏れを抑制できる。そのため、収納室内の冷却効率が向上する。
【００１８】
第２の発明は、特に、第１の発明において、収納室および扉を、内面材と外面材で形成される空間に断熱材が充填された断熱構造としたものであり、収納室および扉の壁面を介して収納室内に侵入する熱を抑制できる。このことから、冷蔵庫内の冷却効率をさらに向上できる。
【００１９】
第３の発明は、特に、第２の発明において、断熱材に発泡樹脂を用いたものであり、発泡樹脂内の無数の独立気泡によって熱伝導率が著しく低く、断熱性能が非常に高い。このことから、収納室および扉の壁面を介して収納室内に侵入する熱をさらに抑制し、冷蔵庫内の冷却効率をさらに向上できる。
【００２０】
第４の発明は、特に、第３の発明において、発泡樹脂が、発泡剤に炭化水素系の主発泡剤と、略大気圧での沸点が零度以下の副発泡剤を用い、前記主発泡剤および前記副発泡剤が気化することにより発泡成形された発泡ポリウレタンであり、発泡ポリウレタンは接着性に優れているため、内面材および外面材と強固に接着される。このことから、収納室および扉の壁面の内面材と断熱材または外面材と断熱材の接合面に空気層が介在することを抑制し、収納室内に侵入する熱をさらに抑制でき、冷蔵庫内の冷却効率をさらに向上できる。
【００２１】
第５の発明は、特に、第４の発明において、主発泡剤にシクロペンタン、副発泡剤に二酸化炭素を用いたものであり、これらの発泡剤は、汎用的に使用されている発泡剤の中でもオゾン破壊係数と地球温暖化係数が低く、環境に優しい発泡剤である。さらに、シクロペンタンは比較的熱伝導率が低く、高性能断熱材を製造できる。さらに、二酸化炭素は、略大気圧における沸点が氷点下７９℃であり、非常に気化しやすい発泡剤である。
【００２２】
このため、ポリウレタンの発泡効率が向上し、反応初期の粘度が低い状態で膨張することによって、突起部など充填が難しい箇所にも容易に充填され、未充填部（ボイド）の発生を抑制できる。
【００２３】
このことにより、収納室および扉の壁面の内面材と断熱材または外面材と断熱材の断熱性能を向上し、収納室内に侵入する熱をさらに抑制でき、冷蔵庫内の冷却効率をさらに向上できる。
【００２４】
以下、本発明の冷蔵庫の実施の形態について、図面を参照しながら説明する。なお、本実施の形態によって本発明が限定されるものではない。
【００２５】
（実施の形態１）
図１は、本発明の実施の形態１における冷蔵庫の縦断面図である。図２は、同実施の形態の冷蔵庫における収納室（冷凍室）の縦断面図である。図３は、図２のＡ−Ａ断面図である。
【００２６】
図１に示すように、冷蔵庫１０１は、箱体１０２と、扉１０３と、冷却手段１０４とで構成されている。箱体１０２および扉１０３は、鉄鋼板またはステンレス鋼板製の外面材１０５と、ＡＢＳ、ポリエチレン、ポリプロピレンなど樹脂製の内面材１０６によって構成され、外面材１０５と内面材１０６で形成される壁面には断熱材１０７として発泡ポリウレタンが充填されている。
【００２７】
なお、断熱材１０７は、発泡スチロールなど種々の発泡樹脂を用いることができる。さらに、箱体１０２の断熱性能を向上させるために、断熱材１０７に真空断熱材を埋設してもよい。
【００２８】
また、箱体１０２は、複数の収納室１０８で構成されており、本実施の形態では、上から冷蔵室、製氷室、冷凍室、野菜室となっている。収納室１０８の前面開口部１０９には、扉１０３が開閉可能なように備えられている。扉１０３の開閉は、回転運動によるものと、前後運動によるものがある。例えば、扉１０３内面側に棚を設け、収納できる構造にする場合は回転運動が適しており、冷蔵室などはこの方式が好ましい。一方、前後運動によるものは、図２によって後で詳しく説明する。
【００２９】
また、収納室１０８内には、圧縮機１１０と凝縮器１１１と蒸発器１１２が配管接続された冷却手段１０４によってつくられた冷気が供給されて冷却される。
【００３０】
次に、収納室１０８の中の冷凍室について、図２および３によって詳しく説明する。
【００３１】
図２に示すように、扉１０３には枠体１１３が取付けられており、この枠体１１３が収納室１０８内壁面に固定された案内レール１１４と連結されている。扉１０３を開閉するとき、枠体１１３は案内レール１１４に沿って前後運動する。円滑に前後運動させるためには、案内レール１１４に枠体１１３を挟み込むように、回転体（図示せず）を設けるとよい。
【００３２】
枠体１１３に支持されるように、樹脂製の収納ケース１１５が備えられている。なお、収納効率を高めるために、収納ケース１１５よりも小さいケース（図示せず）を収納ケース１１５内の上部に配置できる構造としてもよい。
【００３３】
収納室１０８の奥側上部には冷気吹出し口１１６を、奥側下部には冷気吸込み口１１７を備えている。冷気吹出し口１１６から収納室１０８に吹出された冷気の大部分は、収納ケース１１５内に流れ込む。そして、図３に示すように、収納ケース１１５前面に設けられた通風孔１１８から収納ケース１１５外に排出される。排出された冷気は、扉１０３と収納ケース１１５前面との隙間を流れる。
【００３４】
扉１０３内面の左右および下には、収納ケース１１５前面よりも奥側まで突出する突起１１９が設けられており、扉１０３と収納ケース１１５との隙間を流れる冷気のうち、突起１１９を越えて左右および下に流れる冷気は格段に少なくなり、大部分が収納ケース１１５の側面または底面と、収納室１０８壁面との隙間を流れて、冷気吸込み口１１７に吸い込まれる。なお、突起１１９を越えた冷気は、扉１０３と前面開口部１０９の当接部分に備えられた軟質かつ断熱性が高いガスケットやパッキンなどのシール部材１２０によって、収納室１０８外へ流出するのを防止されている。
【００３５】
突起１１９は、内面材１０６の加工によって形成することができる。このとき、突起１１９部の先端まで断熱材１０７を充填しなければ、突起１１９の変形や、断熱性能が低下する。本実施の形態では、充填性の良好な発泡ポリウレタンを適用し、突起１１９の先端まで断熱材１０７を充填している。
【００３６】
具体的には、主発泡剤としてシクロペンタンを、副発泡剤として二酸化炭素を用いている。これらの発泡剤は、汎用的に使用されている発泡剤の中でもオゾン破壊係数と地球温暖化係数が低く、環境に優しい発泡剤である。さらに、シクロペンタンは熱伝導率が１１．９８Ｗ／ｍＫと炭化水素系発泡剤の中では比較的低く、環境性が良好で、高性能な断熱材を製造できる。
【００３７】
しかしながら、シクロペンタンは略大気圧での沸点が４９℃であり、略常温では蒸気圧分しか気化しない。故に、ウレタン反応（発熱反応）によって高温化することにより気化、つまり発泡が開始される。一方、二酸化炭素は、略大気圧における沸点が氷点下７９℃であり、非常に気化しやすい。
【００３８】
つまり、冷蔵庫用の断熱材１０７の硬質発泡ポリウレタンように、高圧状態（数ＭＰａ以上）のウレタン原料を衝突混合によって混合し、略大気圧で断熱材１０７を製造するプロセスにおいて、ウレタン原料に、さらに圧力の高い液状二酸化炭素を混合することによって、二酸化炭素は、断熱材１０７の製造開始直ちに気化が始まる。このため、ポリウレタンの硬化進度の初期段階で発泡（膨張）が進行するため、突起１１９の先端まで円滑にポリウレタンが充填される。
【００３９】
なお、本実施の形態では、突起１１９を扉１０３内面の左右および下に設けたが、左右または下のみに設けてもよい。また、通風孔１１８を収納ケース１１５前面に設けているが、収納ケース１１５側面に設けてもよい。
【００４０】
以上のように本実施の形態の冷蔵庫は、冷蔵庫１０１本体に区画形成され前面に開口部を有し奥側に冷気吹出し口１１６及び冷気吸込み口１１７を有する収納室１０８と、前後方向に移動可能に冷蔵庫１０１本体に設けられ収納室１０８の前面開口部１０９を前方から前面開口部１０９の開口面よりも大きい面で閉塞可能な扉１０３と、上面が開口し前面に通風孔１１８を有するケースであって、扉１０３と一緒に前後方向に移動するように扉１０３に設けられ前面開口部１０９を閉塞している状態の扉１０３を前方に引き出した時に収納室１０８から引き出される収納ケース１１５とを備え、扉１０３が前面開口部１０９を閉塞している時に冷気吹出し口１１６から吹き出された冷気が収納ケース１１５内を通って通風孔１１８を通過し収納ケース１１５と収納室１０８との隙間を通って冷気吸込み口１１７から吸い込まれるように構成された冷蔵庫１０１であって、通風孔１１８を通過した冷気が扉１０３と前面開口部１０９との当接部分の方向に流れず奥側に流れるように扉１０３における収納ケース１１５側の面から収納ケース１１５との距離よりも奥側に突出した突起１１９を収納ケース１１５の左右または下に設けたことにより、冷気吹出し口１１６から吹出された冷気が収納ケース１１５の内外を全体的に冷却できる。さらに、冷気を扉１０３と前面開口部１０９との当接部分から遠ざかる方向に流しているので、収納室１０８外への冷気漏れを抑制できる。そのため、収納室内の冷却効率が向上する。
【産業上の利用可能性】
【００４１】
以上のように、本発明にかかる冷蔵庫は、開閉時に前後運動する扉内面の左右または下に突起を設けて、収納室内の冷気の流れ方を工夫して、冷却効率向上と室外への冷気漏れを抑制したものである。このため、引き出し式の扉と一緒に収納ケースが引き出される冷蔵庫、冷凍冷蔵庫、冷凍庫の他、冷気を温風に変更することにより、温蔵庫にも適用することができる。
【符号の説明】
【００４２】
１０１  冷蔵庫
１０３  扉
１０５  外面材
１０６  内面材
１０７  断熱材（発泡ポリウレタン）
１０８  収納室
１０９  前面開口部
１１５  収納ケース
１１６  冷気吹出し口
１１７  冷気吸込み口
１１８  通気孔
１１９  突起
【図１】
2011169503.tif 000003
【図２】
2011169503.tif 000004
【図３】
2011169503.tif 000005
【図４】
2011169503.tif 000006